【手続補正書】
【提出日】平成20年4月24日(2008.4.24)
【手続補正１】
【補正対象書類名】特許請求の範囲
【補正対象項目名】全文
【補正方法】変更
【補正の内容】
【特許請求の範囲】
【請求項１】
遊技機前方から視認可能な位置に設けられ、複数種の絵柄が変動表示される複数の絵柄表示領域と、
遊技媒体を受入可能な受入口と、
該受入口から受け入れられた遊技媒体を案内する遊技媒体通路と、
該遊技媒体通路を通る遊技媒体を検出した場合にその旨を表す検出信号を出力する検出手段と、
前記各絵柄表示領域における絵柄の変動表示を開始させるべく操作される始動操作手段と、
前記各絵柄表示領域毎に設けられ、該各絵柄表示領域における絵柄の変動表示を停止させるべく操作される複数の停止操作手段と、
前記検出手段から検出信号が出力された後に前記始動操作手段が操作されることにより前記各絵柄表示領域における絵柄の変動表示を開始させ、前記各停止操作手段の操作に基づいて前記各絵柄表示領域における絵柄の変動表示を停止させるように、前記各絵柄表示領域を制御する絵柄表示制御手段とを備え、
絵柄の変動表示の停止後に、前記各絵柄表示領域に表示されている絵柄により所定絵柄の組合せが成立していた場合には遊技者に特典を付与するようにした遊技機において、
前記検出手段は、前記遊技媒体通路における遊技媒体の流れ方向に配置される複数の第１検出手段と、該第１検出手段の下流側に配置され該第１検出手段とは遊技媒体の検出方式が異なる第２検出手段とを備えた構成とし、
さらに前記複数の第１検出手段が検出信号を出力した順序を確認する検出順序確認手段と、
該検出順序確認手段の確認結果が予め設定された検出順序と異なる場合に、当該結果を異常とみなして異常処理を行う第１異常処理実行手段と、
前記複数の第１検出手段のうちの少なくとも１つから検出信号が出力されてからの経過期間を計測可能とする計測手段と、
該計測手段の計測結果に基づいて計測される前記経過期間が所定期間となるまでに前記第２検出手段から検出信号が出力されたか否かを判定する判定手段と、
該判定手段により所定期間内に前記第２検出手段から検出信号が出力されなかったと判定された場合、当該結果を異常とみなして異常処理を行う第２異常処理実行手段とを備えたことを特徴とする遊技機。
【請求項２】
遊技機前方から視認可能な位置に設けられ、複数種の絵柄が変動表示される複数の絵柄表示領域と、
遊技媒体を受入可能な受入口と、
該受入口から受け入れられた遊技媒体を案内する遊技媒体通路と、
該遊技媒体通路を通る遊技媒体を検出した場合にその旨を表す検出信号を出力する検出手段と、
前記各絵柄表示領域における絵柄の変動表示を開始させるべく操作される始動操作手段と、
前記各絵柄表示領域毎に設けられ、該各絵柄表示領域における絵柄の変動表示を停止させるべく操作される複数の停止操作手段と、
前記検出手段から検出信号が出力された後に前記始動操作手段が操作されることにより前記各絵柄表示領域における絵柄の変動表示を開始させ、前記各停止操作手段の操作に基づいて前記各絵柄表示領域における絵柄の変動表示を停止させるように、前記各絵柄表示領域を制御する絵柄表示制御手段とを備え、
絵柄の変動表示の停止後に、前記各絵柄表示領域に表示されている絵柄により所定絵柄の組合せが成立していた場合には遊技者に特典を付与するようにした遊技機において、
前記検出手段は、前記遊技媒体通路における遊技媒体の流れ方向に配置され電磁波を用いて遊技媒体の通過を検出する複数の第１検出手段と、該第１検出手段の下流側に配置され電磁波を用いることなく遊技媒体の通過を検出する第２検出手段とを備えた構成とし、
さらに前記複数の第１検出手段が検出信号を出力した順序を確認する検出順序確認手段と、
該検出順序確認手段の確認結果が予め設定された検出順序と異なる場合に、当該結果を異常とみなして異常処理を行う第１異常処理実行手段と、
前記複数の第１検出手段のうちの少なくとも１つから検出信号が出力されてからの経過期間を計測可能とする計測手段と、
該計測手段の計測結果に基づいて計測される前記経過期間が所定期間となるまでに前記第２検出手段から検出信号が出力されたか否かを判定する判定手段と、
該判定手段により所定期間内に前記第２検出手段から検出信号が出力されなかったと判定された場合、当該結果を異常とみなして異常処理を行う第２異常処理実行手段とを備えたことを特徴とする遊技機。
【請求項３】
前記複数の第１検出手段のうち特定の第１検出手段から検出信号が出力されたかどうかを判定する特定検出判定手段を備え、前記特定検出判定手段により検出信号が出力されたと判定された場合に、前記計測手段に基づく前記経過期間の計測が開始されるよう構成したことを特徴とする請求項１又は２に記載の遊技機。
【請求項４】
前記経過期間は、前記特定検出判定手段により検出信号が出力されたと判定された場合に計測が開始され、さらに前記特定検出判定手段により検出信号が出力されたと判定される毎に、それまでの期間の計測がクリアされ新たに計測が開始されるよう構成したことを特徴とする請求項３に記載の遊技機。
【請求項５】
すべての前記第１検出手段から検出信号が出力され、且つ前記検出順序確認手段により確認された検出順序が予め設定された検出順序であった場合に、その都度、前記各第１検出手段から予め設定された検出順序で検出信号が出力された旨の履歴としてベット履歴を記憶するベット履歴記憶手段を備え、
前記絵柄表示制御手段は、前記ベット履歴記憶手段により記憶されたベット履歴の数が所定数である状態で前記始動操作手段が操作されることにより前記絵柄の変動表示を開始させるようにしたことを特徴とする請求項１乃至４のいずれか１に記載の遊技機。
【請求項６】
前記特典として所定数の遊技媒体を遊技者に払い出す払出手段を備え、
前記第２異常処理実行手段は、前記判定手段により所定期間内に前記第２検出手段から検出信号が出力されなかったと判定された場合、前記各絵柄表示領域における絵柄の変動表示が停止した後であって前記払出手段が払出処理を行う前までの間に異常処理を行うよう構成したことを特徴とする請求項１乃至５のいずれか１に記載の遊技機。
【請求項７】
前記特典として所定数の遊技媒体を遊技者に払い出す払出手段を備え、
前記第２異常処理実行手段は、前記判定手段により所定期間内に前記第２検出手段から検出信号が出力されなかったと判定された場合、前記各絵柄表示領域における絵柄の変動表示が停止した後であって前記払出手段による払出処理が終了した後に異常処理を行うよう構成したことを特徴とする請求項１乃至５のいずれか１に記載の遊技機。
【請求項８】
前記第１異常処理実行手段は、前記検出順序確認手段の確認結果が予め定めた検出順序と異なる場合、少なくとも前記各絵柄表示領域における絵柄の変動表示が開始される前までに異常処理を実行することを特徴とする請求項１乃至７のいずれか１に記載の遊技機。
【請求項９】
前記遊技媒体通路の遊技媒体の通過が阻止されている状態で、前記複数の第１検出手段のうちの少なくとも１つの第１検出手段から検出信号が出力された場合、当該結果を異常とみなして異常処理を行う第３異常処理実行手段を備えたことを特徴とする請求項１乃至８のいずれか１に記載の遊技機。
【請求項１０】
前記特典として所定数の遊技媒体を遊技者に払い出す払出手段を備え、
前記第３異常処理実行手段は、前記遊技媒体通路の遊技媒体の通過が阻止されている状態で、前記複数の第１検出手段のうちのすくなくとも１つの第１検出手段から検出信号が出力された場合に、前記各絵柄表示領域における絵柄の変動表示が開始された後であって前記払出手段が払出処理を行う前までの間に異常処理を行うよう構成したことを特徴とする請求項９に記載の遊技機。
【請求項１１】
前記特典として所定数の遊技媒体を遊技者に払い出す払出手段を備え、
前記第３異常処理実行手段は、前記遊技媒体通路の遊技媒体の通過が阻止されている状態で、前記複数の第１検出手段のうちのすくなくとも１つの第１検出手段から検出信号が出力された場合に、前記払出手段による払出処理が終了した後に異常処理を行うよう構成したことを特徴とする請求項９に記載の遊技機。